(57)【要約】      （修正有）【課題】測定ヘッドを一方の眼から他方の眼に向かって移動させ、他方の眼のアライメント作業の迅速化をより一層早く図る検眼装置を提供する。【解決手段】一方の眼の測定後、他方の眼に対向する位置に向けて測定ヘッドを予め定められた規定移動量Ｘだけ移動させ、測定ヘッドの機械中心位置を超えた位置でかつ規定移動量よりも手前の位置で眼を撮像して第１被検眼像を記憶し、測定ヘッドが規定移動量移動された位置で眼を撮像して第２被検眼像を記憶し、第２被検眼像の瞳孔像を検出し、第２被検眼像の瞳孔像が検出されなかったときに第１被検眼像の瞳孔像を検出し、瞳孔像が検出されたときには規定移動量だけ移動された位置で眼に対するオートアライメントを実行しかつ瞳孔像が検出されたときには測定ヘッドを規定移動量よりも手前の位置に戻してオートアライメントを実行する。【選択図】図９
2012148031.tif 000002
【特許請求の範囲】
【請求項１】
被検者に対面して上下左右前後方向に可動されかつ被検眼像を光学系を介して観察しつつ検査を行う測定ヘッドと、前記測定ヘッドを前記上下左右前後方向に駆動する駆動制御回路部とを備え、前記駆動制御回路部は、一方の被検眼の測定後、前記一方の被検眼に対向する位置から他方の被検眼に対向する位置に向けて前記測定ヘッドを予め定められた規定移動量だけ移動させる第１ステップと、前記測定ヘッドの機械中心位置を超えた位置でかつ前記規定移動量よりも手前の位置で前記被検眼を撮像して第１被検眼像を記憶する第２ステップと、前記測定ヘッドが規定移動量移動された位置で前記被検眼を撮像して第２被検眼像を記憶する第３ステップと、第２被検眼像の瞳孔像を検出する第４ステップと、第２被検眼像の瞳孔像が検出されなかったときに第１被検眼像の瞳孔像を検出する第５ステップと、第４ステップにより瞳孔像が検出されたときには前記規定移動量だけ移動された位置で前記被検眼に対するオートアライメントを実行しかつ第５ステップにより瞳孔像が検出されたときには前記測定ヘッドを前記規定移動量よりも手前の位置に戻してオートアライメントを実行することを特徴とする検眼装置。
【請求項２】
前記測定ヘッドはタッチパネル式の表示画面を有するモニタ部を備え、前記駆動制御回路部は、第５ステップにおいて第１被検眼像の瞳孔像が検出されなかったときには、表示画面にタッチすることにより前記測定ヘッドを駆動することを特徴とする請求項１に記載の検眼装置。
【発明の詳細な説明】
【技術分野】
【０００１】
本発明は、被検者の両眼検査の効率化を図ることのできる検眼装置の改良に関する。
【背景技術】
【０００２】
従来から、被検者の一方の被検眼の検査（例えば、右眼の検査）を行った後、他方の被検眼の検査（例えば、左眼の検査）を行うために、光学系を内蔵する測定ヘッドを左右方向に自動的に移動させることが可能な検眼装置が知られている。
【０００３】
この種の検眼装置では、例えば、右眼の検査が終了すると、検眼終了直後の右眼位置情報に対応する測定ヘッドの位置情報を記憶し、予め記憶されている左右方向機械中心位置情報と右眼の検眼終了直後の測定ヘッドの位置情報とから左右方向機械中心位置から右眼に対応する測定ヘッドの位置までの距離を演算する。
【０００４】
ついで、左眼を検眼するために、他眼の操作スイッチを操作すると、その右眼に対応する測定ヘッドの位置から機械中心までの距離に基づいて、演算部により測定ヘッドを右眼に対応する位置から他眼に対応する位置までに移動させるのに要する距離、いわゆる瞳孔間距離に相当する距離が演算される。ついで、駆動部により測定ヘッドが右眼に対向する位置から左眼に対向する位置に自動的に移動される。
【０００５】
その後、左眼に対するアライメント測定ヘッドのアライメントが実行され、この左眼に対する測定ヘッドのアライメント完了後に左眼の検査が自動的に実行される（特許文献１参照）。
【０００６】
このものによれば、一方の被検眼の検査終了後に他方の被検眼の位置の近くに自動的に測定ヘッドを移動させることができるので、他方の被検眼に対するアライメントを短時間で行うことができ、ひいては、両眼の検査効率が向上する。
【０００７】
また、類似の技術として、一方の被検眼の測定を行った位置から他方の被検眼の測定を行う位置に測定ヘッドを駆動して検査を行うため、一方の被検眼の測定を行った位置から他方の被検眼の測定を行う位置への測定ヘッドの移動途中でかつ測定ヘッドの機械中心位置を検出した時点で、いったん撮影を行い、他方の被検眼を撮像して虹彩の縁を検知し、虹彩の縁から他方の被検眼の瞳孔中心に向かう方向に測定ヘッドを移動させるものも知られている（特許文献２参照）。
【先行技術文献】
【特許文献】
【０００８】
【特許文献１】特許第３６１０１３３号の段落番号「００２５」、「００２６」、図２参照
【特許文献２】特開２０１０−１３１２８６号公報
【発明の概要】
【発明が解決しようとする課題】
【０００９】
ところで、特許文献１に開示の検眼装置では、図１３（ａ）、図１３（ｂ）に示すように、被験者の顔１’が測定ヘッドに対して真っ直ぐ向けられ、かつ、左右の眼Ｅｒ、Ｅｌが測定ヘッドの左右方向器械中心位置ＭＯに対して等距離にある場合、例えば、左右方向器械中心位置ＭＯから距離Ｌ１だけ一方の眼としての右眼Ｅｒに移動させて右眼Ｅｒの眼特性の測定を行い、他方の眼としての左眼Ｅｌの眼特性の測定に移行するために、一方の眼の眼特性を測定した位置から測定ヘッドをこの移動距離の２倍の移動距離２Ｌ１に達するまで移動させると、他方の眼の角膜中心位置の近傍に測定ヘッドの主光軸Ｏ１が位置することになるので、一方の眼の眼特性の測定から他方の眼の眼特性の測定までの一連の作業を迅速に行うことができる。
【００１０】
これに対して、図１４（ａ）、図１４（ｂ）に示すように、被験者の顔１’の額が額当て２’に対して斜めに当たり、顔１が測定ヘッドに対して斜めに傾いている場合、右眼Ｅｒから左右方向器械中心位置ＭＯまでの距離Ｌ２と左眼Ｅｌから左右方向器械中心位置ＭＯまでの距離Ｌ３とが異なることになる。このため、単に、他方の眼の眼特性の測定に移行するために、一方の眼の眼特性を測定した位置から測定ヘッドをその移動距離の２倍の移動距離２Ｌ２としたのでは、左右方向器械中心位置ＭＯが被験者の他方の眼の角膜頂点から大きくずれることがあり、一方の眼の眼特性の測定から他方の眼の眼特性の測定までの一連の作業を迅速に行うことができないことになる。
【００１１】
また、図１５（ａ）、図１５（ｂ）に示すように、左右方向器械中心位置（額当て２の左右方向中心位置Ｏ’）ＭＯに対して一方の眼の側に偏って顔１’の額が当て付けられている場合にも、一方の眼の眼特性の測定から他方の眼の眼特性の測定までの一連の作業を迅速に行うことができないという事態が生じ得ることになる。
【００１２】
一方の眼の眼特性の測定から、他方の眼の眼特性の測定に移行するために、一方の眼の眼特性を測定する位置から測定ヘッドを予め定めた距離だけ他方の眼に移動させる構成の検眼装置にも同様の問題が生じる。
【００１３】
特許文献１に開示の検眼装置の場合、このような場合には、やむなく、検者がコントロールレバーを操作して、前眼部を観察しつつ測定しようとする眼の角膜中心近傍に大まかに合わせて、その後、オートアライメントを実行させるようにしている。
【００１４】
一方、特許文献２に開示の技術では、機械中心位置の検出と同時に、他方の被検眼を撮像して虹彩の縁を検知し、虹彩の縁から他方の被検眼の瞳孔中心に向かう方向に測定ヘッドを移動させるので、左右方向機械中心位置ＭＯに対して一方の眼の側に偏って顔１’の額が当て付けられている場合や顔１’が額当て２’に対してが斜めに傾いて当て付けられている場合でも、一方の眼の眼特性の測定から他方の眼の眼特性の測定までの一連の作業を迅速に行うことができるが、虹彩の縁を検出できない場合があり得る。
【００１５】
本発明の目的は、上記の事情に鑑みて為されたもので、測定ヘッドを一方の被検眼から他方の被検眼に向かって移動させて、他方の被検眼のアライメント作業の迅速化をより一層早く図ることのできる検眼装置を提供することにある。
【課題を解決するための手段】
【００１６】
本発明の検眼装置は、被検者に対面して上下左右前後方向に可動されかつ被検眼像を光学系を介して観察しつつ検査を行う測定ヘッドと、前記測定ヘッドを前記上下左右前後方向に駆動する駆動制御回路部とを備え、前記駆動制御回路部は、一方の被検眼の測定後、前記一方の被検眼に対向する位置から他方の被検眼に対向する位置に向けて前記測定ヘッドを予め定められた規定移動量だけ移動させて停止させた位置で前記他方の被検眼を撮像して第１被検眼像を記憶する第１記憶ステップと、前記測定ヘッドの機械中心位置を超えた位置でかつ前記規定移動量よりも手前の位置で前記被検眼を撮像して第２被検眼像を記憶する第２記憶ステップと、前記第１被検眼像の瞳孔像を検出する第１瞳孔像検出ステップと、第１瞳孔像検出ステップによる第１被検眼像の瞳孔像が検出されなかったときに第２被検眼像の瞳孔像を検出する第２瞳孔像検出ステップと、第１瞳孔像検出ステップにより瞳孔像が検出されたときには前記規定移動量だけ移動して停止された位置で前記被検眼に対するオートアライメントを実行しかつ第２瞳孔像検出ステップにより瞳孔像が検出されたときには前記測定ヘッドを前記規定移動量よりも手前の位置に戻してオートアライメントを実行することを特徴とする。
【００１７】
前記測定ヘッドはタッチパネル式の表示画面を有するモニタ部を備え、前記駆動制御回路部は、第２瞳孔像検出ステップにおいて第２被検眼像の瞳孔像が検出されなかったときには、表示画面にタッチすることにより前記測定ヘッドを駆動する構成とするのが望ましい。
【発明の効果】
【００１８】
本発明によれば、一方の被検眼の測定終了後、他方の被検眼の測定を行うに際し、測定ヘッドを一方の被検眼に対向する位置から規定移動量移動させて停止させ、この停止位置で他方の被検眼を撮像して第１被検眼像として記憶し、この第１被検眼像を用いて瞳孔像を検出することにしたので、瞳孔像が映っている可能性の高い第１被検眼像を用いて他方の被検眼に対するオートアライメントに移行することができ、かつ、被検者の顔が額当てに対して斜めに傾いていたり、測定ヘッドの機械中心と被検眼の瞳孔間距離の中心とがずれていたりして、第１被検眼像の瞳孔像が検出できない場合でも、第２被検眼像を用いて瞳孔像を検出できるので、測定ヘッドを一方の被検眼から他方の被検眼に向かって移動させて、他方の被検眼のアライメント作業の迅速化をより一層早く図ることができる。
【図面の簡単な説明】
【００１９】
【図１】図１は検者が検眼装置を介して被検者に向かい合って検査を行う場合のモニタ部の姿勢を説明するための検眼装置の外観図であり、（ａ）はモニタ部の表示画面が検者の側に向けられている状態を示す側面図であり、（ｂ）は（ａ）に示す矢印Ａ方向からモニタ部の表示画面を見た状態を示す説明図である。
【図２】図２は被験者の側に検者が立って検査を行う場合のモニタ部の姿勢を説明するための検眼装置の外観図であり、（ａ）はモニタ部の表示画面が被検者の側に向けられている状態を示す側面図であり、（ｂ）は（ａ）に示す矢印Ｂ方向からモニタ部の表示画面を見た状態を示す説明図である。
【図３】図３は検眼装置の側面側に検者が立った状態で検査を行う場合のモニタ部の姿勢を説明するための検眼装置の外観図であり、（ａ）は（ｂ）に示す矢印Ｃ方向からモニタ部の表示画面を見た状態を示す検眼装置の側面図であり、（ｂ）は被験者側から見てモニタ部の表示画面が右側に向けられている状態を示す説明図である。
【図４】図４は検眼装置の側面側に検者が座った状態で検査を行う場合のモニタ部の姿勢を説明するための検眼装置の外観図であり、（ａ）は（ｂ）に示す矢印Ｄ方向からモニタ部の表示画面を見た状態を示す検眼装置の側面図であり、（ｂ）は被験者側から見てモニタ部の表示画面が右側に向けられている状態を示す説明図である。
【図５】図５は検眼装置の側面側に検者が座った状態で検査を行う場合のモニタ部の姿勢を説明するための検眼装置の外観図であり、（ａ）は（ｂ）に示す矢印Ｅ方向からモニタ部の表示画面を見た状態を示す検眼装置の側面図であり、（ｂ）は被験者側から見てモニタ部の表示画面が左側に向けられている状態を示す説明図である。
【図６】図６は図１ないし図５に示す取付部の内部の概略構造を示す斜視図である。
【図７】図７は被検眼に対する測定ヘッドのアライメント完了時の被検眼像の表示状態の説明図である。
【図８】図８は被検眼に対する測定ヘッドのアライメント完了前の被検眼像の表示状態の説明図である。
【図９】図９は測定ヘッドの移動量の説明図であり、（ａ）は被検者の右眼に対向する位置に測定ヘッドが移動した状態を示す説明図であり、（ｂ）は被検者の左眼に対向する位置に測定ヘッドが移動した状態を示す説明図である。
【図１０】図１０は被検者の右眼に対向する位置に測定ヘッドがあることを模式的に示す図である。
【図１１】図１１は図９（ｂ）に示す位置関係に他方の被検眼と測定ヘッドとがあるときの表示画面上に映っている被検眼像に基づき、瞳孔中心位置の検出の一例を示す模式図である。
【図１２】図１２は検眼動作手順の詳細を説明するためのフローチャートである。
【図１３】図１３は従来の検眼装置の測定の一例を説明するための図であって、（ａ）は被検者の顔が額当てに正しく当たっている状態を真上から見た図であり、（ｂ）は被検者の顔が額当てに正しく当たっている状態を正面から見た図である。
【図１４】図１４は従来の検眼装置の測定の不具合の一例を説明するための図であって、（ａ）は被検者の顔が額当てに斜めに当たっている状態を真上から見た図であり、（ｂ）は被検者の顔が額当てに斜めに当たっている状態を正面から見た図である。
【図１５】図１５は従来の検眼装置の測定の不具合の他の例を説明するための図であって、（ａ）は被検者の顔が額当ての中心に対して横にずれている状態を真上から見た図であり、（ｂ）は被検者の顔が額当ての中心に対して横にずれている状態を正面から見た図である。
【発明を実施するための形態】
【実施例】
【００２０】
図１ないし図５において、１は検眼装置である。この検眼装置１は、ベース部２と測定ヘッド３と、顎受け部４とから概略構成されている。その顎受け部４にはこれと一体に額当て５が設けられている。
被検者は、顎受け部４に顎を置き、額当て５に額を当てた状態で検査を受ける。
【００２１】
測定ヘッド３の内部には、図１（ａ）、図２（ａ）等に破線で示すようにＣＣＤ等の撮像素子を有する公知の観察・撮影用の光学系６が設けられている。この光学系６により、被検者の前眼部、被検眼の角膜、眼底等が観察・撮影可能である。光学系６には、例えば、特開２０１０−１３１２８６号公報に開示のものを用いることができる。
【００２２】
測定ヘッド３の被検者に対面する側には、図２（ｂ）等に示すように、前眼部照明用の光源７が輪環状に配置されている。この光源７は、角膜形状を測定する測定光源としても用いられる。
【００２３】
ベース部２には、図１（ａ）、図２（ａ）等に破線で示すように測定ヘッド３を駆動する駆動制御回路部８が設けられている。
駆動制御回路部８の駆動部には、例えば、公知のステッピングモータが用いられ、駆動制御回路部８の駆動機構にも、特開２０１０−１３１２８６号公報に開示のものを用いることができる。駆動制御回路部８の制御回路のハードウエアの構成についても同様に特開２０１０−１３１２８６号公報に開示のものを用いることができる。
測定ヘッド３は、被検眼に対して上下左右前後方向に駆動される。その測定ヘッド３の頂部９には、図１ないし図５に示すように、モニタ部１０が設けられる。
【００２４】
その測定ヘッド３の頂部９には、図６に拡大して示すように、取付部１１が設けられている。
この取付部１１は、板金製の垂直軸受け部材１２と板金製の水平軸受け部材１３とから大略構成されている。垂直軸受け部材１２は台座部１２ａと固定板部１２ｂ、１２ｂとから概略構成されている。
【００２５】
固定板部１２ｂ、１２ｂはネジ等の固定部材により測定ヘッド３の頂部９に固定される。その台座部１２ａには垂直筒部１４が形成されている。水平軸受け部材１３は、図６に示すように、水平板部１３ａと一対の支承板部１３ｂ、１３ｂとから構成されている。
【００２６】
一対の支承板部１３ｂ、１３ｂは、水平板部１３ａから起立されている。その水平板部１３ａには、その中央に円形開口（図示を略す）が形成されている。垂直筒部１４はこの円形開口に挿通される。
【００２７】
水平板部１３ａは垂直筒部１４に支承され、抜け止めリング部材１５’と摩擦リング板（図示を略す）により垂直軸方向に適宜の圧力を受けつつ垂直筒部１４の軸回り方向に適宜の力を受けて回動可能とされ、その垂直軸回り方向適宜の位置で停止状態を維持可能とされている。
【００２８】
その支承板部１３ｂ、１３ｂには、図６に示すように、支持アーム部材１３ｄが回動可能に支承される。支持アーム部材１３ｄは一対のアーム板部１３ｅ、１３ｆと取付けブラケット板部１３ｇとから大略構成されている。
【００２９】
アーム板部１３ｅには水平軸部１３ｈが設けられている。アーム板部１３ｆには円形開口１３ｊが形成されている。
水平軸部１３ｈは支承板部１３ｂの一方に水平軸回り方向に回動可能に支承されている。その水平軸部１３ｈには公知のトルクヒンジ部材が用いられる。
【００３０】
支承板部１３ｂの他方には、円形開口１３ｊに対向する円形開口１３ｋが形成されている。その円形開口１３ｊ、１３ｋには、図６に示すように中空筒部１９が挿通される。
この中空筒部１９は支承板部１３ｂの他方に固定され、支持アーム部材１３ｄはこの中空筒部１９と水平軸部１３ｈとにより水平軸回りに回動可能とされている。
【００３１】
その中空筒部１９には、例えば、軸方向に間隔を開けて環状溝２０が形成されている。この環状溝２０には軸方向の抜け止めリング部材としてのＣ形止め輪２１が装着される。これにより、中空筒部１９は支承板部１３ｂに対する軸方向の抜け止めが図られている。
【００３２】
その中空筒部１９の貫通穴１９ａ、垂直筒部１４の貫通穴１４ａを通じて、モニタ部１０と測定ヘッド３とを電気的に接続するリード線１６ｂが引き出される。これにより、モニタ部１０の回動操作に伴うリード線１６ｂのねじれが防止される。
【００３３】
取付けブラケット板部１３ｇは、図６に示すように、一対のアーム板部１３ｅ、１３ｆに跨って配置されている。その取付けブラケット板部１３ｇには、回路基板２３が配設されている。この回路基板２３はその裏側が制御回路ユニット２４の配設部とされ、その表側が図１（ｂ）、図２（ｂ）、図３（ａ）、図４（ａ）、図５（ａ）に示す表示画面２５とされている。
【００３４】
アーム板部１３ｅと支承板部１３ｂとには、モニタ部１０の水平軸回りの回動を検出する検出センサー２５ａ、２５ｂが設けられている。
この検出センサ−２５ａ、２５ｂは、例えば、モニタ部１０が水平状態のときにオンし、水平状態から所定角度を超えたときに、オフする構成とされている。
なお、取付部１１は、図１ないし図５に示すカバー部材２８ａによって被覆される。
【００３５】
制御回路ユニット２４は、その検出センサー２５ａ、２５ｂと協働してモニタ部１０が水平軸回りに回動されて、その表示画面２５が逆さまになる前と逆さまになったときとで、被検眼像と操作ボタンとの見た目上の位置が同じ位置となるようにかつ表示画面２５に表示される画像情報が上下左右反転するように制御する。
【００３６】
制御回路ユニット２４は、例えば、その検出センサー２５ａ、２５ｂによる出力信号の立ち上がりと立ち下がりを検出すると、その表示画面２５による画像情報が上下左右反転するように制御する。
その表示画面２５に表示される操作ボタンの詳細については、説明を省略する。
【００３７】
被検眼像等表示領域には、観察中の前眼部像の他、測定結果やその他検査に関連する文字、記号、符号等の他、図形等の画像が適宜表示される。
その図７には、ここでは、被検者の前眼部像Ｇｆと測定結果Ｓ，Ｃ、Ａが表示され、その図７において、Ｇｆ’は虹彩像、Ｇｆ”は瞳孔像である。また、Ｐ１は角膜輝点像、Ｐ２はアライメント指標像である。
【００３８】
制御回路ユニット２４は、例えば、タッチパネルによる操作モードで、かつ、前眼部像Ｇｆの観察モードのときに、検者が指等でその被検眼像等表示領域２５ｃをタッチすると、タッチ箇所ｔｐに対応する画像部位が画面中央に位置するように、測定ヘッド３を上下左右に駆動し、これにより、被検眼像の瞳孔像Ｇｆ”が画面中央に位置するように制御される。
【００３９】
すなわち、制御回路ユニット２４は、例えば、図８に示すように、表示画面上の基準位置Ｇ０としての画面中心からタッチ箇所ｔｐまでの画面上での距離Ｌを演算し、この距離Ｌに基づいて左右方向ステッピングモータと上下方向ステッピングモータとを駆動制御することにより、被検眼に対して測定ヘッド３を左右上下に移動させる。
【００４０】
制御回路ユニット２４は、目標エリアマーク２５ｇの近傍に瞳孔中心ＰＤＯが位置して、角膜輝点像Ｐ１が検出されると、図７に示すように、角膜輝点像Ｐ１の検出位置と画面中心との距離に基づいて自動的に測定ヘッド３が上下左右方向に駆動されると共に、角膜輝点像Ｐ１のピントが合焦するように、測定ヘッド３が前後方向に駆動され、角膜輝点像Ｐ１が目標エリアマーク２５ｇ内に入りかつ角膜輝点像Ｐ１の出力値が所定値を超えると測定が自動的に実行される。
【００４１】
モニタ部１０の姿勢が図１に示す姿勢の状態から図２に示す姿勢になるようにモニタ部１０を回動させると、又は、モニタ部１０の姿勢が図３、図４に示す姿勢の状態から図５に示す姿勢の状態になるようにモニタ部１０を回動させると、モニタ部１０が水平軸回りに回動されて表示画面２５が逆さまになる前と逆さまになったときとで被検眼像と操作ボタンとの見た目上の位置が同じ位置となるようにかつ表示画面２５に表示される画像情報が上下左右反転するように制御され、結果として、図１、図３、図４に示すモニタ部１０の姿勢のときの表示画面２５と図２、図５に示す姿勢のときの表示画面２５とは、図７、図８に示すように見た目上同じとなる。
【００４２】
この検眼装置１は、両眼測定モードで駆動させることもでき、駆動制御回路部８は瞳孔中心検出回路部として機能し、測定ヘッド３は、駆動制御回路部８により所定の動作手順に従って図９（ａ）、（ｂ）に示すように一方の被検眼Ｅｒから他方の被検眼Ｅｌに向かって自動的に規定移動量Ｘだけ駆動される。その動作手順の詳細については、後述することとし、次に瞳孔中心位置検出の一例と動作の概略を図１０、図１１を参照しつつ説明する。
【００４３】
図１０、図１１は表示画面上での瞳孔中心検出の一例を示す説明図である。
測定ヘッド３は、図１０に示すように、アライメントが完了し、一方の被検眼Ｅｒの瞳孔中心位置ＰＤＯと表示画面上の基準位置Ｇ０とが大略一致しているものとする。
【００４４】
測定ヘッド３は、一方の被検眼Ｅｒの測定終了後、規定移動量Ｘだけ移動される。駆動制御回路部８は、この測定ヘッド３が規定移動量Ｘだけ移動する手前の位置、例えば、規定移動量Ｘよりも８ｍｍ手前の位置で、他方の被検眼Ｅｌを撮像して、第１被検眼像を取得する。である。
【００４５】
ついで、駆動制御回路部８は引き続き測定ヘッド３の駆動を継続し、規定移動量Ｘだけ移動後に他方の被検眼Ｅｌを撮像し、第２被検眼像を取得する。
図１１はその取得された第１被検眼像、第２被検眼像を示している。
駆動制御回路部８は、取得した第１被検眼像、第２被検眼像に基づいて瞳孔中心検出処理を実行する。
【００４６】
駆動制御回路部８は、例えば、図１１に示すように、撮像素子の各画素を走査線Ｓ１…Ｓｎ毎に走査して輝度信号の変化を検出する。
瞳孔像Ｇｆ”は虹彩像Ｇｆ’よりも暗いので、撮像素子の走査により、明暗変化を有する輝度信号ＳＰが得られる。
【００４７】
例えば、この輝度信号の立ち上がり箇所ＳＰ１と立ち下がり箇所ＳＰ２との画素番号と画素のサイズとにより、瞳孔像の箇所が検出され、かつ、立ち上がり箇所ＳＰ１と立ち下がり箇所ＳＰ２とにより表示画面上での瞳孔中心位置ＰＤＯが求められ、ひいては、瞳孔像Ｇｆが検出される。
【００４８】
以下に、一方の被検眼の検眼測定から他方の被検眼の検眼測定に至るまでの一連の動作手順の詳細を図１２に示すフローチャートを参照しつつ説明する。
ここでは、両眼測定モードが設定されているものとして説明する。
【００４９】
一方の被検眼に対する測定が終了したものとして説明する。
測定ヘッド３は、一方の被検眼Ｅｒの測定直後においては、その表示画面上の基準位置Ｇ０と一方の被検眼Ｅｒの瞳孔中心位置ＰＤＯとは概略一致している。
【００５０】
駆動制御回路部８は、第１ステップとして、予め定められた規定移動量Ｘ分だけ、一方の被検眼Ｅｒに対向する位置から他方の被検眼Ｅｌに向けて測定ヘッド３を駆動する（Ｓ．１）。この規定移動量Ｘは例えば６０ｍｍであるが、切り替えスイッチ（図示を略す）により適宜設定変更可能である。
【００５１】
ついで、駆動制御回路部８は、第２ステップとして、測定ヘッド３の機械中心位置ＭＯを超えた位置でかつ規定移動量Ｘよりも手前の位置で他方の被検眼Ｅｌを撮像して第１被検眼像を記憶する（Ｓ．２）。
【００５２】
駆動制御回路部８は、第１被検眼像を取得後、引き続き測定ヘッド３を規定移動量Ｘ分だけ移動させ、第３ステップとして、測定ヘッド３が規定移動量Ｘだけ移動された位置で他方の被検眼を撮像して第２被検眼像を記憶する（Ｓ．３）。駆動制御回路部８は、第２被検眼像の取得後、第４ステップとして、この第２被検眼像の瞳孔像を検出する処理を行う（Ｓ．４）。
【００５３】
駆動制御回路部８は、ステップＳ．４の処理実行後、第２被検眼像の瞳孔像の検出の有無を判断する（Ｓ．５）。Ｓ．５において、ＹＥＳのときには、規定移動量Ｘだけ移動された位置で、他方の被検眼に対するオートアライメントを実行する（Ｓ．６）。
【００５４】
駆動制御回路部８は、ステップＳ．５において、ＮＯのときには、第５ステップとして、第１被検眼像の瞳孔像を検出する処理を行う（Ｓ．７）。
ついで、駆動制御回路部８は、ステップＳ．７の処理後、第１被検眼像の瞳孔像の検出の有無を判断する（Ｓ．８）。Ｓ８において、ＹＥＳのときには測定ヘッド３を規定移動量よりも手前の位置に戻して（Ｓ．９）、オートアライメントを実行する（Ｓ．６）。
【００５５】
そして、駆動検出回路部８は、ステップＳ．８において、ＮＯのときには、検者が表示画面２５をタッチすると、基準位置Ｇ０からタッチ箇所ｔｐまでの距離Ｌを演算し、瞳孔中心ＰＤＯが基準位置Ｇ０に近づく方向に測定ヘッド３を駆動する（Ｓ．１０）。
【００５６】
ついで、駆動制御回路部８は、ステップＳ．６に移行し、オートアライメントを実行した後、オートアライメントがＯＫか否かを判断し（Ｓ．１１）、ＯＫの場合、他方の被検眼Ｅｌの測定を行い（Ｓ．１２）、オートアライメントがＮＯの場合、Ｓ．６のオートアライメント処理を繰り返す。
【符号の説明】
【００５７】
３…測定ヘッド
６…光学系
８…駆動制御回路部
１０…モニタ部
２５…表示画面
【図１】
2012148031.tif 000003
【図２】
2012148031.tif 000004
【図３】
2012148031.tif 000005
【図４】
2012148031.tif 000006
【図５】
2012148031.tif 000007
【図６】
2012148031.tif 000008
【図７】
2012148031.tif 000009
【図８】
2012148031.tif 000010
【図９】
2012148031.tif 000011
【図１０】
2012148031.tif 000012
【図１１】
2012148031.tif 000013
【図１２】
2012148031.tif 000014
【図１３】
2012148031.tif 000015
【図１４】
2012148031.tif 000016
【図１５】
2012148031.tif 000017